(57)【特許請求の範囲】
【請求項１】
靴底の内側に配設されるインソール材であって、このインソール材の爪先部のうち趾付根部分に対応する箇所には、屈曲性を高めるための所定幅の貫通溝が横長に形成され、この所定幅の貫通溝の溝幅は、インソール材の厚みの１００〜５００％であることを特徴とする靴のインソール材。
【請求項２】
請求項１に記載の靴のインソール材において、前記貫通溝の方向は、母趾付根部分に対応する箇所と小趾付根部分に対応する箇所を結ぶ線に対して概略平行であることを特徴とする靴のインソール材。
【発明の詳細な説明】
【０００１】
【発明の属する技術分野】
本発明は、歩行動作や走行動作を楽に行うため屈曲性を高めるようにした靴のインソール材に関する。
【０００２】
【従来の技術】
従来、靴のインソール材として、一般的に耐水圧縮ボード等の硬質の材料が使用されており、このようなインソール材では歩行時等に爪先部が屈曲しにくくて歩きにくいため、本出願人は既に特開平９−１４０４０９号のような靴の技術を開示している。
この技術は、インソール材の爪先部分を比較的軟質の素材とし、また、趾付根部分に対応する箇所には、屈曲性を高めるため、横向き方向にスリット状の切込みを入れるようにしている。
【０００３】
【発明が解決しようとする課題】
ところが、インソール材の爪先部分だけを局部的に軟質の素材にするような方法は、インソール材の作製が煩雑になるとともにコストもかかるという問題があり、また、全体を耐水圧縮ボード等の比較的硬質の素材にする場合、スリット状の切込みを入れるだけでは、例えば図７（ａ）に示すように、切込みｃを表面から裏面に貫通させて設けてもスリット幅が狭く、特に曲げの内側方向では、図７（ｂ）に示すように、切り口端面ｔが干渉し合って屈曲性の向上に限度があり、例えばインソール材の厚みが１．０〜１．２ｍｍ程度になると充分な屈曲性が得られなくなるという問題があった。
【０００４】
そこで本発明は、インソール材の爪先部分を軟質の素材にするような手間を省いてコスト的にも有利な構造にし、また、比較的硬質の素材を使用しても、爪先部分の屈曲性が充分得られるようにすることを目的とする。
【０００５】
【課題を解決するための手段】
上記目的を達成するため本発明は、靴底の内側に配設されるインソール材において、このインソール材の爪先部のうち趾付根部分に対応する箇所に、屈曲性を高めるための所定幅の貫通溝を横長に形成するようにし、この所定幅の貫通溝の溝幅を、インソール材の厚みの１００〜５００％とした。

【０００６】
このように溝幅がインソール材の厚みの１００〜５００％の貫通溝を形成することで、曲げの内側方向でも溝の切り口端面が干渉することなく、十分な曲げ性が得られる。
この際、溝幅が１００％以下であれば、曲げの内側方向において、僅かな曲げでも溝の切り口端面が干渉するようになって屈曲性が制限され、５００％以上であれば、地面からの突き上げ防止機能や足の保護機能等のインソール材としての機能を果たさなくなり、また耐久性も劣るようになる。
ここで、横長の貫通溝としては複数列設けることが好ましく、この場合、例えば一本の長い溝を複数列で設けるようにしても良く、または一列上に複数の横長の貫通溝を設け、これを複数列設けるようにしても良く、横長の貫通溝を千鳥状に設けるようにしても良い。
【０００７】
また本発明では、前記貫通溝の方向を、母趾付根部分に対応する箇所と小趾付根部分に対応する箇所を結ぶ線に対して概略平行にした。
【０００８】
このように、母趾付根部分と小趾付根部分を結ぶ線と平行な線は、概ね足の爪先部の屈曲部であり、歩行や走行等を楽に行うことが出来る。
【００１１】
【発明の実施の形態】
本発明の実施の形態について添付した図面に基づき説明する。
ここで、図１は本発明に係るインソール材が使用される靴の一例を示す断面図、図２は同インソール材の平面図、図３はインソール材の屈曲状態を示す拡大断面図、図４、図５は貫通溝の別形態の各例を示す平面図、図６は足の屈曲部を説明するための説明図である。
【００１２】
本発明に係る靴のインソール材は、比較的硬質の素材を使用しても、爪先部分の屈曲性が充分得られるようにされ、歩行時や走行時において楽に履用出来るようにされるとともに、コスト的にも有利な構造にされている。
【００１３】
すなわち本インソール材が使用される靴１は、図１に示すように、アウトソール３上にインソール材４が積層される靴底２と、胛被５を備えており、インソール材４の上部には、中敷材６が配設されている。
【００１４】
そしてインソール材４は、耐水圧縮ボード等の比較的硬質の素材から形成され、図２にも示すように、爪先部のうち、屈曲性を必要とする箇所には、横長の貫通溝ｍが複数列設けられている。
【００１５】
ここで、爪先部の屈曲部としては、図６に示すように、足長Ｌを基準として、内甲側が足長測定基準点ＰからＬ×（０．８〜０．８２）程度前方の屈曲点Ａと、外甲側が足長測定基準点ＰからＬ×（０．７〜０．７２）程度前方の屈曲点Ｂとを結ぶ斜め線Ｓが基準となり、この斜め線Ｓは概ね母趾付根部と小趾付根部を結ぶ線に一致するとともに、各趾骨の付根部分に対応する箇所となっている。
【００１６】
このため、図２に示す実施例では、貫通溝ｍの方向を上記斜め線Ｓの方向と平行にし、上記斜め線Ｓが含まれるような形態で複数列の貫通溝ｍを設けている。
【００１７】
また、貫通溝ｍの溝幅ｈは、インソール材４の厚みに対して１００〜５００％としている。
これは、溝幅ｈがインソール材４の厚みに対して１００％以下であると、曲げの内側部分の溝幅ｈが潰れて充分な屈曲性を得ることが出来ず、また５００％以上であると、間隙が大きくなり過ぎて足裏に違和感を感じたり、地面からの突き上げ防止機能等を果たさなくなるためである。
【００１８】
以上のような貫通溝ｍを形成することにより、図３に示すように、大きく曲げた場合でも曲げの内側方向に切り口端面が干渉することなく、インソール材４の屈曲性が高まる。
【００１９】
そしてこのような貫通溝ｍを形成するだけの極めて簡単な構成により、屈曲性を大幅に改善することが出来ると同時に、コスト的にも有利となる。
【００２０】
ところで、貫通溝ｍの形態としては、図４に示すように、内甲側から外甲側に向けて若干放射状に広がる形態にしても良く、また、図５に示すように、長さの短い貫通溝ｍを一列に並べ、それを複数列設けるようにしても良く、また短い貫通溝ｍを千鳥状に配列するようにしても良い。
【００２１】
そしてこれらの形状等は、インソール材４の材質や硬さや厚み等を考慮して、一番良い屈曲性が得られ且つ耐久性等が損なわれないようにする。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば靴の種類等は任意であり、またインソール材４の材質等も任意である。
また、貫通溝ｍの数等も任意である。
【００２３】
以上のように、本発明に係る靴のインソール材は、爪先部のうち趾付根部分に対応する箇所に、屈曲性を高めるための所定幅の貫通溝を形成するようにし、この所定幅の貫通溝の溝幅を、インソール材の厚みの１００〜５００％にしたため、曲げの内側方向でも溝の切り口端面が干渉することなく、充分な屈曲性が得られるようになった。
また、充分な屈曲性を得ることが出来るとともに、地面からの突き上げ防止機能や足の保護機能等のインソール材としての機構を発揮させることが出来、しかも耐久性の向上が図れる。
また、貫通溝の方向を、母趾付根部分に対応する箇所と小趾付根部分に対応する箇所を結ぶ線に対して概略平行にすれば、概ね足の屈曲線に一致して、歩行や走行等を楽に行うことが出来る。
【図面の簡単な説明】
【図１】本発明に係るインソール材が使用される靴の一例を示す断面図
【図２】同インソール材の平面図
【図３】インソール材の屈曲状態を示す拡大断面図
【図４】インソール材の貫通溝の別形態を示す平面図
【図５】インソール材の貫通溝の更に別形態を示す平面図
【図６】足の屈曲部を説明するための説明図
【図７】スリット状の切込みを入れた場合の説明図
【符号の説明】
１…靴、２…靴底、４…インソール材、ｍ…貫通溝、ｈ…溝幅。
【図１】
0004702818.tif 000002
【図２】
0004702818.tif 000003
【図３】
0004702818.tif 000004
【図４】
0004702818.tif 000005
【図５】
0004702818.tif 000006
【図６】
0004702818.tif 000007
【図７】
0004702818.tif 000008